(57)【要約】 【課題】  表札に容易に名前を表示することができると共に、立体感を持たせた装飾を施した表札を提供する。【解決手段】  名前を表示する透明又は半透明の表示シート１と、複数の凸レンズ状突起２を有するレンズ部１１と模様３を有する模様部１２により模様を立体視可能にした装飾シート１０とからなり、前記表示シート１を前記装飾シート１０の前面に設けた表札。【選択図】    図１
2005275017.tif 000002
【特許請求の範囲】
【請求項１】
名前を表示する透明又は半透明の表示シートと、複数の凸レンズ状突起を有するレンズ部と模様を有する模様部により模様を立体視可能にした装飾シートとからなり、前記表示シートを前記装飾シートの前面に設けた表札。
【請求項２】
前記表示シートの前面に透明又は半透明のカバー体を設けた請求項１に記載の表札。
【請求項３】
前記表示シートを交換可能に設けた請求項１又は２に記載の表札。
【請求項４】
前記表示シートは、表面が粗面化処理された合成樹脂シートからなる請求項１乃至３のいずれかに記載の表札。
【請求項５】
前記装飾シートの背面に、背景を表示した背景シートを設けた請求項１乃至４のいずれかに記載の表札。
【請求項６】
前記背景シートの背面に支持体を設けた請求項５に記載の表札。
【請求項７】
前記背景シートは、表面が粗面化処理された合成樹脂シートからなる請求項５又は６に記載の表札。
【発明の詳細な説明】
【技術分野】
【０００１】
本発明は、氏名や名称等の名前を表示する表札に関する。
【背景技術】
【０００２】
従来、表札は、天然石・天然木・金属等の天然素材からなる板に、氏名や名称等の名前を彫刻加工したり印刷したりして表示したものを使用している。近年、この天然素材に代えて、プラスチックに大理石風の模様等の様々な模様を付したものが使用されている。
また、プラスチックシートに模様を付したものとしては、透明性シートの表面に複数の凸レンズ状の突起を連続した任意のパターンで設けると共に、該シートの裏面に表面と同じ連続パターンをもつ模様を表面の連続パターンに対して変位させて印刷し、模様を立体的に発現させるようにした装飾シートが知られている（例えば、特許文献１参照）。
【特許文献１】特許第２７６１８６１号公報
【発明の開示】
【発明が解決しようとする課題】
【０００３】
しかし、従来の表札は、素材によって模様が決まるためにオリジナルの模様等の多様な模様を選択することが困難であった。
また、特許文献１の装飾シートは、表面に複数の突起を連続して設けているために、そのままでは表面に名前の表示をすることが困難であり、裏面に名前の表示を設けると名前を鮮明に表示することができないという課題があった。
【０００４】
そこで、本発明は、表札に容易に名前を表示することができると共に、立体感を持たせた装飾を施した表札を提供するものである。
【課題を解決するための手段】
【０００５】
本発明は、上記課題を解決するために、名前を表示する透明又は半透明の表示シートと、複数の凸レンズ状突起を有するレンズ部と模様を有する模様部により模様を立体視可能にした装飾シートとからなり、前記表示シートを前記装飾シートの前面に設けた表札を提供するものである。
【０００６】
また、本発明は、前記表示シートの前面に透明又は半透明のカバー体を設けた請求項１に記載の表札を提供するものである。
【０００７】
また、本発明は、前記表示シートを交換可能に設けた請求項１又は２に記載の表札を提供するものである。
【０００８】
また、本発明は、前記表示シートが、表面が粗面化処理された合成樹脂シートからなる請求項１乃至３のいずれかに記載の表札を提供するものである。
【０００９】
また、本発明は、前記装飾シートの背面に、背景を表示した背景シートを設けた請求項１乃至４のいずれかに記載の表札を提供するものである。
【００１０】
また、本発明は、前記背景シートの背面に支持体を設けた請求項５に記載の表札を提供するものである。
【００１１】
また、本発明は、前記背景シートが、表面が粗面化処理された合成樹脂シートからなる請求項５又は６に記載の表札を提供するものである。
【発明の効果】
【００１２】
本発明に係る表札によれば、名前を表示する透明又は半透明の表示シートと、複数の凸レンズ状突起を有するレンズ部と模様を有する模様部により模様を立体視可能にした装飾シートとからなり、前記表示シートを前記装飾シートの前面に設けた構成を有することにより、表札を見る角度によって装飾シートに表れる模様が変化して立体的に見えるから、表札に立体感を持たせた装飾を施すことができると共に、表示シートを装飾シートの前面に設けたから、表示シートの名前を鮮明に表示することができる。また、表示シートに名前を表示することにより表札を容易に作成することができる効果がある。
【００１３】
また、本発明は、前記表示シートの前面に透明又は半透明のカバー体を設けた請求項１に記載の構成を有することにより、カバー体で表示シートを保護することができる効果がある。
【００１４】
また、本発明は、前記表示シートを交換可能に設けた請求項１又は２に記載の構成を有することにより、表示シートを交換することによって表札の名前の表示を簡単に変えることができる効果がある。
【００１５】
また、本発明は、前記表示シートが、表面が粗面化処理された合成樹脂シートからなる請求項１乃至３のいずれかに記載の構成を有することにより、プリンターで名前を表示シートに印刷することによって、表札を迅速に作成することができる効果がある。
【００１６】
また、本発明は、前記装飾シートの背面に、背景を表示した背景シートを設けた請求項１乃至４のいずれかに記載の構成を有することにより、装飾シートに表れる立体感のある模様と背景シートに表示した背景を組み合わせることによって、表札に多様な装飾を施すことができる効果がある。
【００１７】
また、本発明は、前記背景シートの背面に支持体を設けた請求項５に記載の構成を有することにより、支持体で背景シートを支持することができる効果がある。
【００１８】
また、本発明は、前記背景シートが、表面が粗面化処理された合成樹脂シートからなる請求項５又は６に記載の構成を有することにより、プリンターによって背景シートに背景を印刷することができるから、オリジナルの背景を背景シートに印刷することができる効果がある。
【発明を実施するための最良の形態】
【００１９】
本発明の実施の形態を図示する実施例に基づいて説明する。
本発明に係る表札は、名前を表示する透明又は半透明の表示シート１と、複数の凸レンズ状突起２を有するレンズ部１１と模様３を有する模様部１２により模様を立体視可能にした装飾シート１０とからなり、前記表示シート１を前記装飾シート１０の前面に設けてある。
【実施例１】
【００２０】
図１及び図２に示す実施例について説明する。
実施例において、表示シート１は、表面に粗面化処理をした透明又は半透明の合成樹脂シートからなり、プリンターによって氏名や名称等の名前を容易に印刷することができることから、ポリエステル樹脂からなることが好ましい。
【００２１】
また、表示シート１の前面には、透明又は半透明の合成樹脂からなるカバー体４を設けてある。カバー体４は、耐衝撃性・耐候性に優れることからアクリルからなることが好ましい。なお、表示シート１を保護するために、表札にはカバー体４を設けてあることが好ましいが、表示シート１に耐衝撃性を有する合成樹脂シートを使用することにより、カバー体を設けない構成とすることも可能である。
【００２２】
装飾シート１０は、透明又は半透明の合成樹脂シートからなり、シートの前面に複数の凸レンズ状突起２を配列してレンズ部１１を形成してあると共に、シートの背面に突起２に対応させて複数の模様３を配列して模様部１２を形成してある。この装飾シート１０のレンズ部１１と模様部１２の相互作用により、モアレ模様が立体的に発現して、装飾シート１０の表面から浮き出て視認されるか、又は、奥まって視認されるようにしてある。また、表札を前方の異なる角度から見た場合に、前面の突起２と背面の模様３の相対位置関係が変化して、見る角度によって模様が変化するようにしてある。
【００２３】
装飾シート１０には、例えば、ポリエチレン、ポリプロピレン、ポリエステル、ポリアミド、ウレタン、ポリ塩化ビニル等の汎用の合成樹脂シートを使用することができ、耐候性に優れることからアクリルシートを使用することが好ましい。
【００２４】
図１及び図２に示す実施例において、５は背景を表示した背景シートであり、装飾シート１０の背面に設けてある。背景シート５には、紙又は合成樹脂シートを使用することができ、耐水性・耐候性に優れ、プリンターによって容易に印刷することができることから、ポリエステル樹脂を使用することが好ましい。
また、図１及び図２に示す実施例において、背景シート５の背面には、合成樹脂からなる支持体６を設けてある。背景シート５は、プリンターで印刷できるから薄手のシートであることが好ましいが、剛性のある厚手のシートを使用して支持体６を省略することも勿論可能である。
【００２５】
図１及び図２において、７はビスであり、８は、ビス７と螺合するナットである。カバー体４、表示シート１、装飾シート１０、背景シート５、支持体６には、夫々の四隅に孔９を設けてあり、これらの孔９にビス７を通してナット８と螺合することにより組合せてある。また、図２に示すように、ナット８をビス７から外すことにより、表示シート１を交換可能にしてある。例えば、氏名や名称等の名前が変わったときには、プリンターで表示シート１に新しい名前を印刷することにより、容易に表札の名前の表示を変えることができる。
なお、表札は、実施例のように、ビス７とナット８とで挟持する場合に限られず、枠に挟んで固定したり、夫々のシートを接着剤で張り合わせて固定したりすることも可能である。
【実施例２】
【００２６】
また、本発明に係る表札は、図３及び図４に示すように、カバー体４と表示シート１と装飾シート１０からなり、背景シート及び支持体を設けない構成とすることもできる。
図４に示すように、レンズ部１１と模様部１２の相互作用により、破線で示すモアレ模様が立体的に発現して、装飾シート１０の表面から奥まって視認されるようにしてあり、モアレ模様に対して表示シート１に表示した名前が浮き出て見えるようにしてある。
【図面の簡単な説明】
【００２７】
【図１】本発明表札の一実施例を示す断面図
【図２】その一実施例を示す分解斜視図
【図３】他の実施例を示す断面図
【図４】他の実施例を示す斜視図
【符号の説明】
【００２８】
１  表示シート
２  突起
３  模様
４  カバー体
５  背景シート
６  支持体
７  ビス
８  ナット
９  孔
１０  装飾シート
１１  レンズ部
１２  模様部
【図１】
2005275017.tif 000003
【図２】
2005275017.tif 000004
【図３】
2005275017.tif 000005
【図４】
2005275017.tif 000006